(57)【特許請求の範囲】
【請求項１】
収納家具の天袋の下面に所定間隔を隔てて取り付けられる左右一対の受け桟と、
前記受け桟の外側に配置され、該受け桟に沿ってその長手方向にスライド可能に掛け止めされる左右一対の側板、前記両側板の前端面に設けられている前板、および照明器具取付用孔を有し、前記両側板と前記前板の下部に取り付けられている底板を備える照明器具収納棚とで構成されていることを特徴とする照明ユニット。
【請求項２】
前記受け桟が、収納家具の前後方向に延びるように取り付けられていることを特徴とする請求項１に記載の照明ユニット。
【発明の詳細な説明】
【技術分野】
【０００１】
本発明は、天袋と地袋とを備える収納家具の天袋に取り付けて使用され、天袋と地袋との間の空間を照らすのに適した照明ユニットに関する。
【背景技術】
【０００２】
玄関等に設置される収納家具として、天袋と地袋とを備えるものが広く利用されている。このような収納家具にあっては、天袋と地袋との間の空間を小物等のディスプレイ用空間として使用することが一般に行われているが、当該空間は周囲の明かりが差し込みにくい薄暗い場所であるために、せっかくのディスプレイ品が映えないという問題があった。
【０００３】
かかる問題点を解消するために、従来は、照明器具を別途用意し、これを天袋の底板に直接取り付けることがなされていたが、かかる方法では、照明器具や配線を天袋の内側に配置する必要があり、せっかくの収納空間が減少してしまうという問題がある。
【０００４】
そこで、天袋の収容空間を犠牲にすることなく、天袋と地袋との間の空間を照らすことができる照明ユニットの出現が待望されており、かかる要望を満足する技術として、例えば特許文献１のような照明ユニットが提案されている。
【０００５】
この従来の照明ユニットでは、天袋の下面に別途用意した矩形枠状の部材（四周枠）を取り付け、該四周枠に照明器具を設置した板材をビスで取り付けるようにしているので、天袋の収納量を減らすことなく天袋と地袋との間の空間を照らすことが可能となる。
【先行技術文献】
【特許文献】
【０００６】
【特許文献１】特開２０００−３４００２９号公報（第３頁、図１）
【発明の概要】
【発明が解決しようとする課題】
【０００７】
従来技術では、四周枠の下方から板材を取り付けるようにしていたため、施工完了後は、作業者が取り付け作業を行った四周枠と板材の両方が外部から見えることとなる。したがって、天袋底面への四周枠の取り付け方や、四周枠への板材の取り付け方の良し悪し（作業者の熟練度に大きく依存する）が施工後の見栄えに大きく影響するという問題があった。
【０００８】
また、従来技術では、板材を四周枠に取り付ける際にビスでしっかりと固定するようにしていたため、照明器具のメンテナンス時には、全てのビスを四周枠から取り外し、メンテナンスが終了すると再度全てのビスを取り付ける必要があった。つまり、固定用のビスを取り外したり、再度締めなおす手間が発生し、メンテナンス作業が非常に面倒であるという問題があった。
【０００９】
本願発明は、かかる従来の問題点に鑑みてなされたものであり、誰でも手間なく簡単に施工でき、施工後の美観に優れ、しかも、メンテナンス作業が容易な照明ユニットを提供することを目的とする。
【課題を解決するための手段】
【００１０】
請求項１に記載した発明は、「収納家具１００の天袋１０４の下面に所定間隔を隔てて取り付けられる左右一対の受け桟１２と、受け桟１２の外側に配置され、該受け桟１２に沿ってその長手方向にスライド可能に掛け止めされる左右一対の側板１６、両側板１６の前端面に設けられている前板１８、および照明器具取付用孔２０ａを有し、両側板１６と前板１８の下部に取り付けられている底板２０を備える照明器具収納棚１４とで構成されている」ことを特徴とする照明ユニット１０である。
【００１１】
請求項２に記載した発明は、「受け桟１２が、収納家具１００の前後方向に延びるように取り付けられている」ことを特徴とする。
【発明の効果】
【００１２】
請求項１に記載の発明によれば、天袋の底面に左右一対の受け桟を取り付け、その後、照明器具収納棚の側板を受け桟に沿わせてスライドさせて側板を受け桟に掛止させるだけで取付作業が完了する。すなわち、施工に必要な部品は左右一対の受け桟だけであり、誰でも簡単に手間無く施工することが可能となるし、照明器具収納棚の取り付けに際して他人の支え等を必要としないので、照明ユニットの収納家具への取付作業はもちろん、照明器具のメンテナンス作業も独力で簡単に行うことができる。
【００１３】
また、受け桟に照明器具収納棚を取り付けたときに外から見える部材は照明器具収納棚だけであり、現場での取り付け作業を伴う左右一対の受け桟は、照明器具収納棚に隠れて外からは直接視認することができない。したがって、作業者による施工後の仕上がりバラツキがなく、誰でも美しく仕上げることができる。
【００１４】
さらに、照明ユニットの取り付けに際して、照明器具が取り付けられる照明器具収納棚の受け桟への取り付けは、照明器具収納棚の側板を受け桟に掛止することによって行われ、従来のようなビス固定は不要である。したがって、メンテナンス時に固定用のビスを取り外したり、締めなおす手間が発生することはなく、メンテナンス作業は非常に容易となる。
【００１５】
また、請求項２に記載の発明のように、受け桟が収納家具の前後方向に延びるように取り付けられている場合には、収納家具の正面側から照明器具収納棚の取り付けや照明器具のメンテナンス作業が可能となる。したがって、天袋の左右にスペースがない場合や、リモデルによって天袋の左右スペースが事後的に失われる場合のどちらのケースにも対応でき、室内空間設計プランをより設計自由度の高いものにすることができる。
【図面の簡単な説明】
【００１６】
【図１】この発明にかかる照明ユニットが適用された収納家具を示す正面図である。
【図２】図１の左側面図である。
【図３】照明ユニットを天袋に取り付けた状態を示す要部断面図である。
【図４】照明ユニットの分解斜視図である。
【発明を実施するための形態】
【００１７】
以下、本発明を図面に従って説明する。本発明に係る照明ユニット１０は、収納家具１００に取り付けて使用されるものであることから、まず最初に収納家具１００について簡単に説明し、然る後、照明ユニット１０について説明する。
【００１８】
収納家具１００は、主として玄関などに設置されるもので、本実施例では、床面Ｆから天井面Ｃまで至る主収納部１０２、主収納部１０２の一方の側面上部に設けられ、その上面が天井面Ｃに接して設けられている天袋１０４、主収納部１０２の一方の側面下部に設けられ、床面Ｆに接して設けられている地袋１０６により構成されている（図１〜図２参照）。
【００１９】
主収納部１０２，天袋１０４および地袋１０６の前面側には、隠し蝶番（図示省略）を介して扉１０２ａ，１０４ａ，１０６ａがそれぞれ取り付けられている。
【００２０】
天袋１０４と地袋１０６との間には、小物等を陳列するための空間Ｘが設けられており、この空間Ｘを照らすために、天袋１０４の底面に後述する照明ユニット１０が取り付けられる。
【００２１】
照明ユニット１０は、図４に示すように、左右一対の受け桟１２と、照明器具収納棚１４とで構成されている。
【００２２】
各受け桟１２は、断面略Ｌ字状に形成された木製或いは樹脂製の棒状部材で、その外側面下端部には、その長手方向全長に亘って段部１２ａが形成されている。この段部１２ａは、後述する側板１６がその長手方向にスライド可能に掛止される「被掛止部」として機能する部分である。
【００２３】
各受け桟１２の下面には、複数（本実施例では５つ）のビス穴１２ｂ（図３参照）がその長手方向に所定間隔を隔てて形成されている。
【００２４】
照明器具収納棚１４は、照明器具Ｌを収容するもので、左右一対の側板１６、前板１８および底板２０により構成されている。
【００２５】
各側板１６は、断面逆Ｌ字状に形成された木製或いは樹脂製の棒状部材で、各側板１６の内側面上端部には、その長手方向全長に亘って鍔部１６ａが形成されている。なお、この鍔部１６ａが、上述した受け桟１２の被掛止部としての段部１２ａに掛止される。
【００２６】
左右一対の側板１６の前端面には、前板１８が取着されている。前板１８は、木製或いは樹脂製の棒状部材で、側面視断面三角形状（もちろん、前板１８を板状等、任意の形状にて構成することが可能である）に形成されている。本実施例においては、図４中、上側が幅広で、下側に向かうにしたがって幅狭となるようにその前面側が傾斜している。なお、前板１８は、側板１６の木口面および後述する底板２０の木口面を隠すように取り付けられている。
【００２７】
左右一対の側板１６および前板１８の内側面下端部には、底板２０が取り付けられている。底板２０は、木製或いは樹脂製の板状部材で、その大きさは収納家具１００の天袋１０４の大きさに合わせて適宜設定されている（照明器具収納棚１４を天袋１０４の下方に取り付けたときに、側板１６や前板１８の外面が収納家具１００の側面や前面と面一となるよう設定される）。
【００２８】
底板２０の中央部分には、照明器具Ｌを取り付けるための照明器具取付用孔２０ａが設けられており、この照明器具取付用孔２０ａに別途準備した照明器具Ｌが取り付けられる。なお、本実施例では照明器具取付用孔２０ａが丸孔として形成されているが、その形状は特に限定されるものではなく、照明器具Ｌの形状に合わせて適宜設定すれば良い。また、照明器具取付用孔２０ａの数は１つに限られるものではなく、２以上の複数個設けるようにしてもよいし、その形成位置も底板２０の中央部分に限られず、例えば、底板２０の前面側といった具合に底板２０の中心から偏った位置に設けるようにしてもよい。
【００２９】
なお、本実施例では、照明器具収納棚１４の外形と天袋１０４の下面形状とが一致するよう、照明器具収納棚１４の各構成部材（側板１６、前板１８および底板２０）の大きさが設定されているが、例えば、照明器具収納棚１４の外形が天袋１０４の下面形状よりも小さくなるように照明器具収納棚１４の各構成部材を形成するようにしてもよい。
【００３０】
次に、以上のように構成されている照明ユニット１０を収納家具１００に取り付ける方法について説明する。
【００３１】
まず、収納家具１００における天袋１０４の底面の所定位置に左右一対の受け桟１２を宛がう。左右一対の受け桟１２は、収納家具１００の前後方向に延びるように配置され、その間隔は、照明器具収納棚１４に設けられた左右一対の側板１６の間隔に合わせて適宜設定される。そして、別途準備したビス２２の先端を受け桟１２の底面に設けられているビス穴１２ｂに挿入して捻じ込む。これにより、受け桟１２の収納家具１００への取り付けが完了する。
【００３２】
次に、別途準備した照明器具Ｌを照明器具収納棚１４の照明器具取付用孔２０ａに嵌め込み（図４参照）、照明器具Ｌと照明器具収納棚１４とを一体化する。
【００３３】
次に、照明器具Ｌが取り付けられた照明器具収納棚１４を持ち上げ、左右一対の側板１６の鍔部１６ａの先端を左右一対の受け桟１２の段部１２ａに引っ掛け、これをスライドさせて奥に押し込めば受け桟１２への照明器具収納棚１４の取り付けが完了する。そして、最後に照明器具Ｌの配線処理を行えば、照明ユニット１０の収納家具１００への取付作業が完了する。
【００３４】
この実施例によれば、収納家具１００の天袋１０４の底面に左右一対の受け桟１２を取り付け、然る後、照明器具収納棚１４を受け桟１２に掛止させるだけで受け桟１２への照明器具収納棚１４の取付作業が完了する。つまり、施工に必要な部品は左右一対の受け桟１２だけであり、誰でも簡単に手間無く施工することが可能となる。
【００３５】
しかも、受け桟１２に照明器具収納棚１４を取り付けたときに外から見える部材は照明器具収納棚１４だけであって、現場での取り付け作業を伴う左右一対の受け桟１２は照明器具収納棚１４に隠れて外からは直接視認することができない。したがって、作業者による施工後の仕上がりバラツキがなく、誰でも美しく仕上げることができる。
【００３６】
さらに、照明ユニット１０の取り付けに際して、照明器具Ｌが取り付けられた照明器具収納棚１４の受け桟１２への取り付けは、受け桟１２への照明器具収納棚１４の掛止によって行われ、従来のようなビス固定は不要である。したがって、メンテナンス時に従来のような固定用のビスを取り外したり、締めなおす手間が発生することはなく、メンテナンス作業が容易となる。
【００３７】
なお、上述の実施例では、左右一対の受け桟１２が収納家具１００の前後方向に延びるように取り付けられているが、図１実施例のように、天袋１０４の下部に設けられた空間Ｘが収納家具１００の前方だけでなく、側方（図１実施例では左側）にも開口している場合は、受け桟１２を収納家具１００の左右方向に延びるように取り付けるようにしても良い。
【００３８】
また、受け桟１２の段部１２ａと側板１６の鍔部１６ａとの当接面を、手前側が高い位置で、奥に向うにしたがって低い位置となるような下向きに傾斜するテーパ状のものとして構成すれば、照明器具収納棚１４のスライド操作がやりやすくなり、施工作業やメンテナンス作業時における作業効率を高めることができる。
【符号の説明】
【００３９】
１０…照明ユニット
１２…受け桟
１２ａ…段部
１４…照明器具収納棚
１６…側板
１６ａ…鍔部
１８…前板
２０…底板
２０ａ…照明器具取付用孔
１００…収納家具
１０２…主収納部
１０４…天袋
１０６…地袋
Ｃ…天井面
Ｆ…床面
Ｘ…空間
【図１】
0005129312.tif 000002
【図２】
0005129312.tif 000003
【図３】
0005129312.tif 000004
【図４】
0005129312.tif 000005